(57)【要約】【課題】伐採の対象となる樹木の幹に巻き回して取り付ける際に結び付ける作業を不要とし、簡単な操作によって確実に幹に巻き付けて固定することができる伐採樹木の直径測定バンドを提供する。【解決手段】測定対象樹木Ｔの幹の直径を示す数値５ｂを所定のピッチで一面に表示した帯状のストラップ２と、ストラップの基端部に一体化されてストラップを先端から挿通させる挿通穴１１を有したヘッド１０と、挿通穴から挿通されたストラップの逆戻りを阻止するストッパ１５と、を備え、数値は、ストラップを幹の外周に巻き付けてその先端部を挿通穴に差し込んで限界まで締め込んだ際に、挿通穴の挿入側開口１１ｂに相当するヘッドの端縁１０ａと対応する数値が樹木の幹の直径を示すように構成されている。【選択図】図１
2012093130.tif 000002
【特許請求の範囲】
【請求項１】
測定対象樹木の幹の直径を示す数値を所定のピッチで一面に表示した帯状のストラップと、該ストラップの基端部に一体化されて該ストラップを先端から挿通させる挿通穴を有したヘッドと、該挿通穴から挿通された前記ストラップの逆戻りを阻止するストッパと、を備えた樹木直径測定バンドであって、
前記数値は、前記ストラップを前記幹の外周に巻き付けてその先端部を前記挿通穴に差し込んで限界まで締め込んだ際に、前記挿通穴の挿入側開口に相当する前記ヘッドの端縁と対応する数値が該樹木の幹の直径を示すように構成されていることを特徴とする伐採樹木の直径測定バンド。
【請求項２】
前記ストラップの他面には、樹木の幹との間の滑り止めと、前記ストッパによる係止力を高めるための、高摩擦抵抗部が形成されていることを特徴とする請求項１に記載の伐採樹木の直径測定バンド。
【請求項３】
前記ヘッドの表面に文字、符号の表示領域を設けたことを特徴とする請求項１又は２に記載の伐採樹木の直径測定バンド。
【発明の詳細な説明】
【技術分野】
【０００１】
本発明は高圧送電線の下方に位置する樹木を伐採する際に、伐採対象となる樹木を特定して表示すると共に、地権者に対する補償額を算定する基準となる樹木の直径を表示することができる伐採樹木の直径測定バンドに関する。
【背景技術】
【０００２】
鉄塔間に張架される高圧送電線は、送電経路に沿った地上の樹木や建造物等の背の高い物体（送電線近接物）から十分に離隔した高さ位置に配置する必要がある。高圧送電線は絶縁樹脂等による絶縁被覆ができないために裸電線であり、空気を利用して絶縁を確保している。そのため、高圧電線から所定距離以内の空間に樹木等があると、電線に接触しなくても空気絶縁が破られることにより放電が発生し火災の原因となる。
特に、樹木は成長して送電線との間の距離が経時的に縮まるため、電力会社では定期的に電線と樹木頂部との間の離隔距離を確認するための巡視を行い、離隔距離が許容限度を下回る虞がある場合には、地権者の承諾を得て樹木を伐採している。樹木を伐採する場合には地権者に対して対象とする樹木の樹種、胸高直径に応じた金額を補償することとなる。このため事前に、伐採対象となる樹木毎に樹種、胸高直径を調査、測定する毎木調査を実施する必要がある。
毎木調査に際しては、伐採する樹木の幹の胸高直径を直径測定用の巻き尺（π尺）を用いて測定して記帳すると共に、測定済みの樹木には地権者毎に異なった色のテープを結びつけておく作業が行われる。テープを結びつけてから、通常約半年以内に伐採が実施されるため、その期間内にテープがズレ落ちたり、破断して紛失しないようにテープ材質等を選定する必要がある。
しかし、伐採対象となる樹木は数十本から百本を超える膨大な数となることが多く、樹木毎にテープを結びつける作業は作業員の労苦を増大させる原因となっている。
【０００３】
特許文献１（特開平１１−９４４５０２号公報）には、樹木を識別できる色又は模様を有する耐候性素材から成るテープに、円周目盛を付した伐採用目盛付表示テープが開示されている。これによれば、計測員と、表示員と、記録員の３名を一組として実施する必要があった従来の毎木調査を二名で実施できるようになり、しかも再検査時には表示テープの目盛を読取るだけでよく再計測の必要がなくなる、と記載されている。また、２０ｃｍ以下のテープと、３０ｃｍ以下のテープの二種類を用意して携帯することとなるため、テープを切断する必要がない。
しかし、この表示テープを用いた毎木調査では、表示テープを樹木の幹に結びつける際に結び目が目盛の０点と一致するように慎重に作業を行う必要があるため面倒であり、作業性が著しく低下する。０点と結び目とが合わない場合には、ほどいて再度やり直す必要が生じる。特に、直径の認定は補償金額（直径２ｃｍ単位で増減する）に係わる作業であるため、地権者に不信感を抱かせるような結び方は避ける必要があり、作業性が著しく低下する。
上述のように毎木調査では、膨大な数の樹木を対象とするため、テープを結びつける作業自体が全体の作業性を著しく低下させる原因となっているにも拘わらず、表示テープを用いた場合には作業性が更に大幅に悪化することが明かである。
【０００４】
また、調査担当者は、直径２０ｃｍ以下の樹木用のテープと、３０ｃｍ以下用のテープの二種類を携帯することとなるため、収納方法、携帯方法を余程工夫しないと、薄くて変形し易いテープ同士が絡み合って取扱いに窮する虞が多々ある。
テープは結ぶことによって樹木に固定し、固定後も幹表面に密着してズレ落ちることがないように構成する必要があるため、十分な強度と、薄くて柔軟性があることが求められる一方で、測定数値を正確化（目盛間隔の変動を防止）するために伸縮性がないことが求められる。しかし、薄く、且つ柔軟性があると、テープは幹表面の凹凸によって変形し易く、目盛を読み取りにくくなる。また、伸縮性がないと、結び目が緩んだり、幹に密着させることが難しくなり、短期間でテープがズレ落ちる虞がある。樹木や下草が密集している箇所において、テープがズレ落ちて見えなくなると、伐採する樹木を確認することが困難となる。
【０００５】
また、樹木に表示テープを結びつけた場合には、直径を示す目盛及び数値が結び目によって隠蔽されているため、数値を読取る際には結び目を持ち上げてずらしたり、皺を伸ばす等の手間がかかり、再確認の際の作業性を低下させる原因となる。特に、結び目の左右両側のテープ部分は幅方向に潰れて判読不能となるが、このテープ部分の目盛と数値が直径を表す肝心な部位であるにも拘わらず、皺を伸ばして読み取らねばならないという致命的な欠陥を有している。
更に、テープは偽造され易いため、地権者の信頼を得られにくいという欠点も有している。
特許文献１では、表示テープの裏面に両面テープを貼ることも提案されているが、過酷な自然環境の下で、両面テープの粘着力だけで樹木の幹にテープを接着させ続けることは難しい。
【先行技術文献】
【特許文献】
【０００６】
【特許文献１】特開平１１−９４４５０２号公報
【発明の概要】
【発明が解決しようとする課題】
【０００７】
特許文献１に開示された伐採用目盛付表示テープは、樹木の幹に結びつける必要があるため、作業性が低下し、作業員の労力が増大するという問題を有している。また、結び目を形成する際に、目盛の付された数値との位置関係を配慮する必要があるため、作業性が更に低下する。結ぶことによって脱落しないようにテープを幹に対して密着させるためには、柔軟性と伸縮性が求められるが、柔軟性のあるテープは幹表面の凹凸によって変形し易く、目盛及び数値が読み取りにくくなる。また、伸縮性があると、テープの伸びによって目盛及び数値表示の信頼性が低下する。また、結び目の存在によって数値を読み取りにくくなる。
本発明は上記に鑑みてなされたものであり、伐採の対象となる樹木の幹に巻き回して取り付ける際に結び付ける作業を不要とし、簡単な操作によって確実に幹に巻き付けて固定することができる伐採樹木の直径測定バンドを提供するものである。
また、幹に取り付けた後も長期に渡って脱落、位置ずれすることなく、しかも目盛、数値が変形せずに確実に読み取り可能な技術を提案するものである。
【課題を解決するための手段】
【０００８】
上記目的を達成するため、請求項１の発明に係る伐採樹木の直径測定バンドは、測定対象樹木の幹の直径を示す数値を所定のピッチで一面に表示した帯状のストラップと、該ストラップの基端部に一体化されて該ストラップを先端から挿通させる挿通穴を有したヘッドと、該挿通穴から挿通された前記ストラップの逆戻りを阻止するストッパと、を備えた樹木直径測定バンドであって、前記数値は、前記ストラップを前記幹の外周に巻き付けてその先端部を前記挿通穴に差し込んで限界まで締め込んだ際に、前記挿通穴の挿入側開口に相当する前記ヘッドの端縁と対応する数値が該樹木の幹の直径を示すように構成されていることを特徴とする。
これによれば、樹木の幹の直径測定と幹への取付け（伐採樹木の特定、表示）作業を同時に行うことができる。しかも、ストラップをヘッドの挿通穴に差し込んで強く締め付けるだけで装着が完了する。このため、従来のテープタイプに比して大幅な作業性の改善を実現できる。即ち、従来のテープタイプにあっては、結びつけることが必須であったため、それに伴って作業性の悪化、表示された内容の確認のし難さ、表示された数値の信頼性の低下という問題があったが、本発明では、ワンタッチで装着が可能であり、結びつけ作業が不要であるため、これらの不具合を一挙に解消できる。
請求項２の発明は、前記ストラップの他面には、樹木の幹との間の滑り止めと、前記ストッパによる係止力を高めるための、高摩擦抵抗部が形成されていることを特徴とする。
高摩擦抵抗部は、樹木に対する脱落防止と、ストッパとの係合力向上に貢献することができる。
請求項３の発明は、前記ヘッドの表面に文字、符号の表示領域を設けたことを特徴とする。
テープタイプでは、樹木についての各種事項（地権者名、番号、測定年月日等）を表示することが難しいが、本発明ではヘッドの表面を表示領域として利用できる。
【発明の効果】
【０００９】
本発明によれば、伐採の対象となる樹木の幹に巻き回して取り付ける際に結び付ける作業を不要とし、簡単な操作によって確実に幹に巻き付けて固定することができる。
また、幹に取り付けた後も長期に渡って脱落、位置ずれすることなく、しかも目盛、数値が変形せずに確実に読み取りが可能となる。
【図面の簡単な説明】
【００１０】
【図１】（ａ）及び（ｂ）は本発明の一実施形態に係る直径測定バンドの構成を示す平面図、及び正面図である。
【図２】（ａ）（ｂ）及び（ｃ）は樹木の幹に直径測定バンドを巻き付けた状態を示す横断面図、挿通穴にストラップ先端を差し込む手順を示す斜視図である。
【図３】本直径測定バンドによって樹木の幹を測定している状態を示す説明図である。
【図４】（ａ）及び（ｂ）はヘッドに設けた爪部の構成及び爪部がストラップの抜け落ちを防止している状態を示す断面図である。
【発明を実施するための形態】
【００１１】
以下、本発明を図面に示した実施の形態により詳細に説明する。
図１（ａ）及び（ｂ）は本発明の一実施形態に係る直径測定バンドの構成を示す平面図、及び正面図であり、図２（ａ）（ｂ）及び（ｃ）は樹木の幹に直径測定バンドを巻き付けた状態を示す横断面図、挿通穴にストラップ先端を差し込む手順を示す斜視図であり、図３は本直径測定バンドによって樹木の幹を測定している状態を示す説明図であり、図４（ａ）及び（ｂ）はヘッドに設けた爪部の構成及び爪部がストラップの抜け落ちを防止している状態を示す断面図である。
【００１２】
本発明の直径測定バンド１は、毎木調査において、伐採対象として選定された樹木に幹に巻き付けて固定することにより、伐採対象となる樹木の特定と、直径を測定済みであることを示す手段である。
この直径測定バンド（タイラップ、結束バンド）１は、ナイロン等の可撓性を有した合成樹脂材料を細幅帯状に形成した細長いストラップ２と、ストラップ２の基端部に一体化されてストラップを先端から挿通させる挿通穴１１を有したヘッド１０と、挿通穴１１から挿通されたストラップの逆戻りを阻止するストッパ１５と、を備えている。
ストラップ２の一面（裏面）には、滑り止めの高摩擦抵抗部（ギザギザ部）３がほぼ全長に渡って形成されていると共に、他面（表面）には長手方向に沿って所定のピッチで測定対象樹木の幹の直径を示す目盛５ａ、及び数値５ｂから成る直径表示部５が形成されている。この数値５ｂは、幹の周長を直径に換算した数値であり、図３のように略円柱形の物体である樹木Ｔの幹の全周に渡ってストラップ２を巻き付けて挿通穴１１からストラップ先端を引き出して固定した時に、挿通穴の入口部に相当するヘッドの端縁１０ａと対応する位置にある目盛５ａ、数値５ｂが幹の直径を表していることとなる。つまり、ヘッドの端縁１０ａは基準線であり、目盛、及び数値の「０」に相当している。
隣接する目盛間の間隔は１ｃｍであり、この間隔（直径）１ｃｍは周長３．１４ｃｍに相当している。
【００１３】
本直径バンド１は、取付け対象とする樹木の直径の大小に応じて、例えば２０ｃｍ以下用と、３０ｃｍ以下用、更には３０ｃｍ以上用の３種類を用意する。
ストラップ２の幅は、遠方から見た場合の視認性、数値を記載するスペースを考慮すると、２〜３ｃｍ程度とするのが好ましいが、必要に応じて更に幅広とすることが可能である。
図１（ａ）に示すように各数値５ｂは、対応する各目盛５ａの片側に記されている。このため、図３のように特定の目盛が端縁１０ａと一致した位置にある時にはその直ぐ横に現れている数値（１２）が幹の直径を表している。幹の直径を示す数値は、常にヘッドに隠蔽されることなく端縁１０ａの隣に露出した状態にある。
【００１４】
図４（ａ）に示すようにヘッド１０の挿通穴１１内には抜け落ち防止用の逆止爪１１ａが突設されており、図４（ｂ）のように挿通穴１１の挿入側開口１１ｂからストラップの先端部を挿通する際には逆止爪１１ａは下方に変形してストラップの通過を許容する一方で、一旦通過したストラップ部分は裏面の高摩擦抵抗部３が逆止爪１１ａの先端に係止されるため逆戻りすることができない。従って、ストラップを樹木の幹の全周に巻き付けてから先端を挿通穴１１内に差し込んで限界まで強く引くことにより、幹の周面にストラップの裏面が強く密着した状態でストラップはヘッド１０（逆止爪１１ａ）に固定される。一旦、ストラップを挿通穴に挿通すると逆戻りすることがないため、緩んで幹から脱落することがない。
幹に直径測定バンドを固定した状態で幹の直径を確認する場合には、ヘッド１０の端縁１０ａによって示される数値を単に読めば一目で確認できる。幹の直径を示す数値は、端縁１０ａに沿って露出して明示されているので、目視により容易に読み取ることができる。
【００１５】
本例に係る逆止爪１１ａは、挿通穴１１の内壁にコ字状の切り込み線を形成することによって形成され、ストラップの厚み方向へ弾性変形可能に構成されている。このため、挿入側開口１１ｂからストラップ先端部を挿入する時にはストラップに押圧されて外側へ退避して挿入を許容する一方で、ストラップが抜き戻しされようとした場合には逆止爪が高摩擦抵抗部３に食い込んで阻止できるように構成されている。
なお、ストッパ１５として本例では、逆止爪以外であっても同様の逆止効果を発揮できる構成を採用可能である。
【００１６】
ストラップの裏面に形成された高摩擦抵抗部３は、樹木の幹との間の滑り止めと、ストッパ１５による係止力を高めるための手段として役立っている。
直径測定バンド１に着色や模様を施して樹木や葉や他の植物と識別し易くする一方で、地権者毎に異なった着色、模様として識別し易くするのが好ましい。
ヘッド１０の表面に文字、数字等を記載するスペース（表示領域）を設けておき、雨水によって脱落しにくいインク等を用いて当該樹木に拘わる事項（地権者名、番号、測定日時、伐採予定日等）を記載できるように構成してもよい。即ち、従来のテープタイプでは、樹木についての各種事項を表示することが難しいが、本発明ではヘッドの表面を表示領域として利用できる。
また、直径測定バンドとして、自然環境下で土壌に戻る環境調査型の材質を利用すれば、環境に対する負荷を低減できる。
【００１７】
以上の構成を備えた本発明の直径測定バンド１では、樹木の幹の直径測定と幹への取付け（伐採樹木の特定、表示）が同時に行える。しかも、ストラップをヘッドの挿通穴に差し込んで強く締め付けるだけで装着が完了する。このため、従来のテープタイプのように幹に結びつける作業を必須とすることがなくなり、種々のメリットをもたらす。まず、煩雑な結び付け作業が不要になるため、個々の測定、取付け作業における効率が向上し、多数の樹木に対する測定、取付け作業に従事する作業員の労力を大幅に低減できる。特に、従来のように直径を示す数値と結び目との位置関係を配慮する必要がないため、作業性が更に向上する。また、結ぶことによって脱落しないようにテープを幹に対して密着させるためには、テープに柔軟性と伸縮性が求められるが、柔軟性のあるテープは幹表面の凹凸によって変形し易く、目盛及び数値が読み取りにくくなるという問題があった。これに対して本発明では、結びつける必要がないため、ストラップの材質としてテープほどの薄さ、柔軟性が求められることがなく、幹表面の凹凸によって変形して目盛、数値が読みにくくなるという不具合もない。ストラップに伸縮性を与える必要がないため、テープの場合のように伸びによって目盛間隔が変動して、数値表示の信頼性が低下するということがない。また、結び目が存在しないため、直径を示す数値を常に明確に目視確認することができる。
【００１８】
このように本発明によれば、伐採の対象となる樹木の幹に巻き回して取り付ける際に結び付ける作業を不要とし、一工程から成る簡単な操作によって確実に幹に巻き付けて固定（表示）し、且つ直径を測定、表示することができる。このため、作業員の労力が大幅に低減されることとなり、一人の作業員だけで測定、取付け、及び記帳を行うことが可能となる。また、幹に取り付けた後も長期に渡って脱落、位置ずれすることなく、しかも目盛、数値が変形せずに確実に読み取り可能となる。
また、テープのように偽造され難いため、地権者の信頼を得やすいという利点を有している。
【符号の説明】
【００１９】
１…直径測定バンド、２…ストラップ、３…高摩擦抵抗部、５…直径表示部、５ａ…目盛、５ｂ…数値、１０…ヘッド、１０ａ…端縁、１１…挿通穴、１１ａ…逆止爪、１１ｂ…挿入側開口、１５…ストッパ
【図１】
2012093130.tif 000003
【図２】
2012093130.tif 000004
【図３】
2012093130.tif 000005
【図４】
2012093130.tif 000006